(57)【要約】      （修正有）【課題】コストを低減しつつ各利用者による利用し易さを高め、不正を防止することを可能としたスタンプ帖を提供する。【解決手段】スタンプ帖３には、所定周波数の電波により非接触で外部リーダライタからのデータの書き込み又は当該外部リーダライタへのデータの読み出しが可能なＩＣチップが埋め込まれた個人用カードを保持するためのポケットが表表紙又は裏表紙に取り付けられている。以上の構成において、スタンプ装置は、スタンプ帖３の印面にスタンプが押印される際に、個人用カードＣＡに埋め込まれたＲＦＩＤチップ４１を検知し、当該ＲＦＩＤチップ４１に書き込むべきデータをＲＦＩＤアンテナを介して非接触通信により当該ＲＦＩＤチップ４１に送信する。一方、当該ＲＦＩＤチップ４１は、スタンプ装置から送信されたデータをスタンプ帖３のページを透過して受信しメモリに書き込むようになっている。【選択図】図３
0003148331.tif 000002
【実用新案登録請求の範囲】
【請求項１】
印字又はスタンプ押印可能な印面を有する冊子において、
所定周波数の電波により非接触で外部リーダライタからのデータの書き込み又は当該外部リーダライタへのデータの読み出しが可能なＩＣチップが埋め込まれたカードを保持するためのポケットが当該冊子の表表紙又は裏表紙に取り付けられていることを特徴とする冊子。
【請求項２】
請求項１に記載の冊子において、
前記ＩＣチップは、前記カードが前記ポケットに保持され、前記印面に印字又はスタンプ押印される際に、当該印面を介して、前記印字又はスタンプ押印するための装置と対向する位置に埋め込まれていることを特徴とする冊子。
【考案の詳細な説明】
【技術分野】
【０００１】
本考案は、冊子の技術分野に関する。
【背景技術】
【０００２】
近年、非接触で外部リーダライタからのデータの書き込み又は当該外部リーダライタへのデータの読み出しが可能な非接触ＩＣチップ付の冊子が開発されており、例えば、パスポートや預金通帳等に利用されている（特許文献１参照）。これにより、このような非接触ＩＣチップ付の冊子に対して、外部から例えばスタンプがなされると同時に非接触ＩＣチップからデータを読み出して認証することが可能となる。
【特許文献１】特開２００８−８７３９６号公報
【考案の開示】
【考案が解決しようとする課題】
【０００３】
ところで、従来から、利用者が複数の拠点においてスタンプを押印していき、基準数のスタンプが押印されると景品と交換できるスタンプラリーが知られているが、当該スタンプが押印されるスタンプ帖にも、非接触ＩＣチップ付の冊子を適用すれば、スタンプラリー時における不正を防ぐことができると考えられる。
【０００４】
しかしながら、全ての利用者のスタンプ帖に非接触ＩＣチップを付けることになると、そのコストが増し好ましくない。
【０００５】
そこで、本考案は、このような点等に鑑みてなされたものであり、コストを低減しつつ各利用者による利用し易さ等を高めることを可能とした冊子を提供することを課題とする。
【課題を解決するための手段】
【０００６】
上記課題を解決するために、請求項１に記載の考案は、印字又はスタンプ押印可能な印面を有する冊子において、所定周波数の電波により非接触で外部リーダライタからのデータの書き込み又は当該外部リーダライタへのデータの読み出しが可能なＩＣチップが埋め込まれたカードを保持するためのポケットが当該冊子の表表紙又は裏表紙に取り付けられていることを特徴とする。
【０００７】
請求項２に記載の考案は、請求項１に記載の冊子において、前記ＩＣチップは、前記カードが前記ポケットに保持され、前記印面に印字又はスタンプ押印される際に、当該印面を介して、前記印字又はスタンプ押印するための装置と対向する位置に埋め込まれていることを特徴とする。
【考案の効果】
【０００８】
本考案によれば、ＩＣチップが埋め込まれたカードを保持するためのポケットが冊子の表表紙又は裏表紙に取り付けられるように構成したので、このポケットに利用者所有のカードを装着することにより、コストを低減しつつ各利用者による利用し易さ等を高めることができる。
【考案を実施するための最良の形態】
【０００９】
以下、本考案を実施するための最良の実施形態について、図面に基づいて説明する。なお、以下に説明する実施の形態は、本考案を、スタンプラリーを行うためのスタンプシステムに適用した場合の実施形態である。
【００１０】
図１は、スタンプラリーの流れを示す概念図である。なお、図１の例では、スタンプラリーが行われる拠点として、Ａ〜Ｃの３つが示されているが、実際にはこれより多くの拠点が存在する。
【００１１】
各拠点Ａ〜Ｃには、夫々、同一の構成及び機能を有するスタンプ装置１がスタンプ台２上に設置されている。各拠点Ａ〜Ｃにおけるスタンプ装置１に備えられるメモリには、各スタンプ装置１が設置された拠点を示す拠点データ（例えば、各拠点に固有の識別番号からなる）が記憶されており、これらの拠点データは互いに異なる。
【００１２】
スタンプラリーを行う利用者Ｕは、図１に示すように、スタンプ帖３（冊子の一例）を持って各拠点Ａ〜Ｃをまわり（回り）、各拠点Ａ〜Ｃにおいてスタンプ装置１を用いてスタンプをスタンプ帖３に押印し、例えば、最終的に景品交換所にスタンプ帖３を持っていき景品と交換したり、或いは景品を得るための抽選を行う。
【００１３】
図２は、本実施形態に係るスタンプ装置１及びスタンプ台２の構成を説明するための断面図である。図２に示すように、スタンプ装置１は、電源プラグ１１、筐体グリップ部１２、筐体スタンプ部１３、化粧・認識用ＬＥＤ（発光ダイオード）１４、制御基板１５、スピーカ（又はブザー）１６、ＲＦＩＤ（Radio Frequency Identification System）アンテナ１７、ＲＦＩＤリーダライタ通信スイッチ（以下、「Ｒ／Ｗ通信スイッチ」という）１８、及びスタンプを押印するための印版部としてのゴム印１９等を備えて構成されている。
【００１４】
制御基板１５は、ＣＰＵ，ＲＡＭ，ＲＯＭ，不揮発性メモリ等を備え、ＲＦＩＤリーダライタの機能及び計時（時計）機能を有する。かかるＲＦＩＤリーダライタは、例えば非接触ＩＣカード技術である公知のＦｅｌｉＣａ（登録商標）技術を採用しており、当該ＦｅｌｉＣａ技術を採用したＩＣチップ（以下、「ＲＦＩＤチップ」という）からのデータの読み取り及び当該ＲＦＩＤチップへのデータの書き込みを所定周波数の電波により非接触で（非接触通信により）行うことが可能になっている。なお、非接触ＩＣカード技術として上記ＦｅｌｉＣａ以外の技術を適用しても良く、例えば、ＭＩＦＡＲＥ（Ｒ）ウルトラライト（ＩＳＯ  １４４４３Ａ）の技術を適用しても良い。
【００１５】
例えば、ＲＦＩＤリーダライタは、Ｒ／Ｗ通信スイッチ１８がＯＮ（オン）であるときに通信可能範囲内（例えば、１０ｃｍ程度）に入ったＲＦＩＤチップを、ＲＦＩＤアンテナを介して検知し（このとき、ＲＦＩＤチップからＵＩＤ（ＲＦＩＤチップの識別子（例えば、ＲＦＩＤチップ毎にユニークな製造番号））を取得）、当該ＲＦＩＤチップに電波（例えば１３．５６ＭＨｚ）を発信することでＲＦＩＤチップに電力を供給（電磁誘導による）し、キャリアの変調により当該ＲＦＩＤチップ間でデータ通信（ＲＦＩＤの非接触通信）を行うことにより、当該ＲＦＩＤチップからのデータの読み取り及び当該ＲＦＩＤチップへのデータの書き込みを非接触で行う。
【００１６】
また、制御基板１５に備えられるＲＯＭ（又は不揮発性メモリ）の所定の記憶領域には、上述した拠点データが記憶されている。
【００１７】
Ｒ／Ｗ通信スイッチ１８は、図２に示すように、スタンプ装置１がスタンプ台２に設置されているときはスタンプ台２におけるＲ／Ｗ通信スイッチ押し出し突起２１により付勢されるためＯＦＦに、スタンプ装置１がスタンプ台２から離れるとＲ／Ｗ通信スイッチ押し出し突起２１による付勢が解かれるためＯＮになる。
【００１８】
ゴム印１９のスタンプ台２側の印面には、所定の文字、図形等のキャラクタの像形状が形成されており、反対の面は図示のように筐体スタンプ部１３に接着されている。また、スタンプ装置１がスタンプ台２に置かれている状態では、ゴム印１９の印面は、スタンプ台２に設けられた朱肉２０に接している。そして、利用者Ｕがスタンプ装置１を持ち上げ、上記ゴム印１９の印面を、スタンプ帖３の印面（紙面）に押し当てると上記像形状のスタンプが押印されることになる。なお、印版部としては、ゴム印の他にも、撓み易い材質の印であっても良い。
【００１９】
図３は、スタンプ帖３の構成を説明するための図である。スタンプ帖３は、スタンプを押印可能な複数の印面を有しており（複数ページからなる）、当該複数の印面それぞれにスタンプが押印可能になっている。また、スタンプ帖３の裏表紙（表表紙でも良い）の内側には、上述したようなＲＦＩＤチップ４１（アンテナ含む）が埋め込まれた例えば個人用カードＣＡを保持するためのポケットＰＯが取り付けられている。個人用カードＣＡとしては、会員カード、社員カード、交通カード等が挙げられる。なお、個人用カードでなく、例えば団体やグループの構成員で共用するカードであっても構わない。
【００２０】
また、ＲＦＩＤチップ４１は、個人用カードＣＡがポケットＰＯに挿入、保持され、スタンプ帖３の印面にスタンプが押印される際に、当該印面を介して、スタンプ装置１と対向する位置に埋め込まれていることが望ましい。例えば、ＲＦＩＤチップ４１のアンテナの中央（中心）とスタンプ帖３に印刷された枠（スタンプが押印される領域の枠）印の中央が一致するように位置決めされる。これにより、スタンプがスタンプ帖３に押印される際に、スタンプ装置１とＲＦＩＤチップ４１との間のデータのやり取りを確実に行わせることができる。
【００２１】
また、ＲＦＩＤチップ４１には、固有のＵＩＤ（例えば、ＲＦＩＤチップ毎にユニークな製造番号）、及び利用者の会員番号等の個人情報等が予め記憶されている。
【００２２】
以上の構成において、スタンプ装置１（ＣＰＵ）は、スタンプ帖３の印面にスタンプが押印される際に、個人用カードＣＡに埋め込まれたＲＦＩＤチップ４１を検知し、当該ＲＦＩＤチップ４１に書き込むべきデータをＲＦＩＤアンテナ１７を介して非接触通信により当該ＲＦＩＤチップ４１に送信する。一方、当該ＲＦＩＤチップ４１は、スタンプ装置１から送信されたデータをスタンプ帖３のページを透過して受信しメモリに書き込むようになっている。
【００２３】
なお、上記「書き込むべきデータ」には、例えば、スタンプ装置１のＲＯＭ等の所定の記憶領域に予め記憶されている拠点データ（拠点の通過履歴を構成するデータ）と、スタンプ装置１の計時機能により計時された時刻（当該データが書き込まれる際の時刻）を示す時刻データ（例えば、年月日日時を示すタイムスタンプ）が少なくとも含まれる。
【００２４】
図４は、スタンプ装置１の動作フローの一例を示す図である。
【００２５】
図４において、先ず、スタンプ装置１の電源ＯＮによりシステムが起動（ＣＰＵによりプログラム実行開始）し、起動確認音を再生しスピーカ（又はブザー）１６を通じて出力させる（Ａ）。このとき、スタンプ装置１は、スタンプ台２に設置されており、Ｒ／Ｗ通信スイッチ１８はＯＦＦになっている（Ｂ）。
【００２６】
次に、利用者Ｕがスタンプ装置１をスタンプ台２から持ち上げると、Ｒ／Ｗ通信スイッチ１８はＯＮになり、スタンプ装置１は、これに応じてＲＦＩＤチップのＵＩＤ取得コマンドを発行（これは定期的に行われる）し、ＲＦＩＤアンテナ１７を介して出力する。そして、スタンプ装置１は、ＲＦＩＤチップ４１からのＵＩＤの取得成功（Ｃ）により、当該ＲＦＩＤチップ４１を検知する。
【００２７】
次に、スタンプ装置１は、ＲＦＩＤチップ４１のメモリに書き込まれている拠点データ（未だ書き込まれていない場合は、例えばＮＵＬＬデータ）を、非接触通信により当該ＲＦＩＤチップ４１から取得し（読み込み）、自己の拠点データがＲＦＩＤチップ４１に既に書き込まれているか否かを判別する。そして、当該拠点データが既に書き込まれていない場合には（つまり、当該スタンプ装置１に記憶されている拠点データが、ＲＦＩＤチップ４１から取得されたデータに含まれていない場合にのみ）、スタンプ装置１は、自己の拠点の通過履歴及びタイムスタンプを有するデータを非接触通信で当該ＲＦＩＤチップ４１に送信することにより当該ＲＦＩＤチップ４１のメモリに書き込ませる（Ｄ）。
【００２８】
こうして当該通信が完了すると、スタンプ装置１は、化粧・認識用ＬＥＤ１４を点灯させると共に、完了通知音を再生しスピーカ（又はブザー）１６を通じて出力させる（Ｅ）。
【００２９】
一方、上記判別において拠点データが既に書き込まれている場合には、スタンプ装置１は、エラー通知音を再生しスピーカ（又はブザー）１６を通じて出力させることになる。これにより、ＲＦＩＤチップ４１への書き込みは１つのスタンプ装置１（１拠点）で１度しかできないように制限することができる。
【００３０】
次に、スタンプ装置１、及びスタンプ帖３を用いたスタンプラリーの実施例を説明する。
【００３１】
図５は、実施例におけるスタンプラリーの流れを示す概念図である。
【００３２】
図５に示すように、スタンプラリーで使用されるスタンプ帖３は、スタンプラリーを開催する事業者（ラリー主催者等）により用意され、スタンプラリー開始前に利用者Ｕに配布される。そして、利用者Ｕは、自己が所有する個人用カードＣＡをスタンプ帖３のポケットＰＯに挿入し、当該スタンプ帖３を持って拠点Ａ〜Ｃを回り、図５に示すように、各拠点Ａ〜Ｃにおいてスタンプ装置１を用いてスタンプ帖３の印面にスタンプを押すとともに、当該自己の拠点の通過履歴及びタイムスタンプを有するデータを個人用カードＣＡのＲＦＩＤチップ４１に書き込ませ、最終的に例えば景品交換所を訪れることになる。
【００３３】
この景品交換所には、景品交換用Ｒ／Ｗ（ＲＦＩＤリーダライタ）５とこれに電気的に接続される処理端末６が設置されている。
【００３４】
そして、当該景品交換所において、利用者Ｕが自身のスタンプ帖３を景品交換用Ｒ／Ｗ５にかざすと、景品交換用Ｒ／Ｗ５は、ＲＦＩＤチップ４１からＵＩＤ、及び各拠点の通過履歴及びタイムスタンプを有するデータを非接触通信により読み込み、これらのデータを処理端末６に送信することになる。
【００３５】
処理端末６は、上記ＲＦＩＤチップ４１に書き込まれた上記データ及び当該ＲＦＩＤチップ４１に予め記憶されていたＵＩＤ等を景品交換用Ｒ／Ｗ５を通じて取得し、当該取得されたデータに基づいて、当該スタンプ帖３の所有者である利用者Ｕに対して所定の権利を与えるか否かを決定するようになっている。
【００３６】
例えば、処理端末６は、上記取得したＵＩＤ及び拠点データをチェックし、例えば景品交換の権利（景品が得られる権利）或いは抽選ができる権利を当該利用者Ｕに与えるか否かを決定（判断）する。そして、処理端末６は、例えば景品交換の権利（景品が得られる権利）或いは抽選ができる権利を当該利用者Ｕに与えると決定した場合には、その旨を示す情報を出力（例えば、印刷出力、表示出力、音声出力など）する。こうして、当該権利を与えられた利用者Ｕは、スタンプ帖３と景品を交換したり（景品が得られる）、スタンプ帖３と抽選券を交換する（抽選ができる）ことができる。さらに、処理端末６は、当該景品交換又は抽選券交換を行ったこと示す履歴（例えば、交換済みフラグ“１”）を、景品交換用Ｒ／Ｗ５を通じてＲＦＩＤチップ４１に書き込ませる。
【００３７】
ここで、上述した、利用者Ｕに対して所定の権利を与えるか否かの判断方法の具体例として、処理端末６は、ＲＦＩＤチップ４１からデータを読み出し、上記取得したＵＩＤに対応付けられて上記交換を行ったこと示す履歴（例えば、交換済みフラグ“１”）がＲＦＩＤチップ４１に書き込まれているか否かを判別し、ＲＦＩＤチップ４１に書き込まれていない場合には、続いて、上記取得した拠点データが拠点Ａ〜Ｃの数分、或いは当該拠点Ａ〜Ｃより少ない所定数分あるか否かを判別し、当該数分ある場合に、利用者Ｕに対して所定の権利を与えることを決定する。
【００３８】
例えば、処理端末６は、上記取得したデータに予め定められた必須拠点（例えば、拠点Ｂ）の拠点データが含まれている場合に利用者Ｕに対して所定の権利を与えることを決定したり（例えば、利用者Ｕが必須拠点（ノルマとなる拠点）を回っていた場合のみ、例えば景品交換を可能とさせる）、或いは、上記取得したデータに予め定められた拠点数分（例えば、拠点Ａ〜Ｃのうちの何れか２つの拠点）の拠点データが含まれている場合に利用者Ｕに対して所定の権利を与えることを決定する（例えば、利用者Ｕが必要な拠点数を回っていた場合のみ、例えば景品交換を可能とさせる）。
【００３９】
一方、上記交換を行ったこと示す履歴がＲＦＩＤチップ４１に書き込まれている場合、又は上記数分ない場合には、処理端末６は、利用者Ｕに対して所定の権利を与えないことを決定することになる。
【００４０】
そして、例えば抽選後や商品交換後には、会員カードＣＡはスタンプ帖３から外され、当該スタンプ帖３は利用者Ｕに記念として提供され、当該会員カードＣＡは通常の会員カードＣＡとして利用される。
【００４１】
以上説明したように、上記実施形態によれば、ＲＦＩＤチップ４１が埋め込まれた個人用カードＣＡを挿入、保持するためのポケットＰＯを、最終的に利用者Ｕに提供されるスタンプ帖３に設けるように構成したので、ラリー主催者等はＲＦＩＤチップ４１を用意する必要はなく、例えばスタンプラリー参加時にはこのポケットに利用者所有の個人用カードＣＡ等を装着することによりスタンプ帖３として使用できるのでラリー主催者等の負担コストを低減しつつ利用者Ｕによる利用し易さ等を高めることができる。
【００４２】
なお、上記実施形態においては、本考案における冊子として、スタンプラリーに用いられるスタンプ帖を例にとって説明したが、スタンプ押印可能な印面を有するその他の冊子にも適用可能である。また、スタンプ押印可能な印面ではなく、例えば電子データを印字可能な印面を有する冊子にも適用可能である。
【図面の簡単な説明】
【００４３】
【図１】スタンプラリーの流れを示す概念図である。
【図２】本実施形態に係るスタンプ装置１及びスタンプ台２の構成を説明するための断面図である。
【図３】スタンプ帖３の構成を説明するための図である。
【図４】スタンプ装置１の動作フローの一例を示す図である。
【図５】実施例におけるスタンプラリーの流れを示す概念図である。
【符号の説明】
【００４４】
１  スタンプ装置
２  スタンプ台
３  スタンプ帖
５  景品交換用Ｒ／Ｗ
６  処理端末
１１  電源プラグ
１２  筐体グリップ部
１３  筐体スタンプ部
１４  化粧・認識用ＬＥＤ
１５  制御基板
１６  スピーカ（又はブザー）
１７  ＲＦＩＤアンテナ
１８  Ｒ／Ｗ通信スイッチ
１９  ゴム印
４１  ＲＦＩＤチップ   
【図１】
0003148331.tif 000003
【図２】
0003148331.tif 000004
【図３】
0003148331.tif 000005
【図４】
0003148331.tif 000006
【図５】
0003148331.tif 000007